(57)【特許請求の範囲】
【請求項１】
番組情報から、それぞれの番組のキーワードである番組キーワードを抽出する第１の抽出手段と、
ユーザにより登録されている配信サイトから配信されたRSS形式の記事情報全体から、前記記事情報のキーワードである記事キーワードを抽出する第２の抽出手段と、
前記第２の抽出手段により抽出されたそれぞれの前記記事キーワードに、前記記事情報全体に含まれる数に応じた順位を設定する第１の設定手段と、
前記第１の設定手段により設定された順位が上から所定の順位までの前記記事キーワードが前記番組キーワードとして番組情報に含まれるそれぞれの番組に、前記記事キーワードが前記番組キーワードとして番組情報に含まれる数に応じた順位を設定する第２の設定手段と、
前記第２の設定手段により設定された順位が上から所定の順位までの番組を表示候補の番組として選択する第１の選択手段と、
前記第１の選択手段により選択された表示候補の番組毎の番組情報から前記番組キーワードを抽出する第３の抽出手段と、
前記記事情報毎に、それぞれの前記記事情報から前記記事キーワードを抽出する第４の抽出手段と、
前記第３の抽出手段により抽出された、表示候補の番組毎の番組情報に含まれる前記番組キーワードと、前記第４の抽出手段により抽出された、それぞれの前記記事情報に含まれる前記記事キーワードとのマッチングを行い、それぞれの前記記事情報に、前記番組キーワードが前記記事キーワードとして含まれる数に応じた順位を設定し、上から所定の順位までの前記記事情報を関連情報として選択する第２の選択手段と、
前記第１の選択手段により選択された最も順位が高い第１の番組の画像を、順位が低い第２の番組の画像より大きく表示させるとともに、前記第２の選択手段により前記第１の番組の前記関連情報として選択された前記記事情報のタイトルと、前記第２の番組の前記関連情報として選択された前記記事情報のタイトルを表示させる表示制御手段と
を備える情報処理装置。
【請求項２】
前記表示制御手段は、複数の前記第２の番組の画像を同時に表示させる
請求項１に記載の情報処理装置。
【請求項３】
前記表示制御手段は、前記第１の番組の画像と前記第２の番組の画像の表示はそのままに、所定の時間が経過する毎に、前記第１の番組の前記関連情報として選択された前記記事情報のタイトルを、前記第１の番組の前記関連情報として選択された他の前記記事情報のタイトルに切り替え、前記第２の番組の前記関連情報として選択された前記記事情報のタイトルを、前記第２の番組の前記関連情報として選択された他の前記記事情報のタイトルに切り替える
請求項１または２に記載の情報処理装置。
【請求項４】
前記表示制御手段は、前記第１の番組の画像の表示はそのままに、所定の時間が経過する毎に、表示する前記第２の番組の画像を切り替える
請求項１乃至３のいずれかに記載の情報処理装置。
【請求項５】
番組情報から、それぞれの番組のキーワードである番組キーワードを抽出し、
ユーザにより登録されている配信サイトから配信されたRSS形式の記事情報全体から、前記記事情報のキーワードである記事キーワードを抽出し、
それぞれの前記記事キーワードに、前記記事情報全体に含まれる数に応じた順位を設定し、
順位が上から所定の順位までの前記記事キーワードが前記番組キーワードとして番組情報に含まれるそれぞれの番組に、前記記事キーワードが前記番組キーワードとして番組情報に含まれる数に応じた順位を設定し、
順位が上から所定の順位までの番組を表示候補の番組として選択し、
表示候補の番組毎の番組情報から前記番組キーワードを抽出し、
前記記事情報毎に、それぞれの前記記事情報から前記記事キーワードを抽出し、
表示候補の番組毎の番組情報に含まれる前記番組キーワードと、それぞれの前記記事情報に含まれる前記記事キーワードとのマッチングを行い、それぞれの前記記事情報に、前記番組キーワードが前記記事キーワードとして含まれる数に応じた順位を設定し、上から所定の順位までの前記記事情報を関連情報として選択し、
最も順位が高い第１の番組の画像を、順位が低い第２の番組の画像より大きく表示させるとともに、前記第１の番組の前記関連情報として選択された前記記事情報のタイトルと、前記第２の番組の前記関連情報として選択された前記記事情報のタイトルを表示させる
ステップを含む情報処理方法。
【請求項６】
番組情報から、それぞれの番組のキーワードである番組キーワードを抽出し、
ユーザにより登録されている配信サイトから配信されたRSS形式の記事情報全体から、前記記事情報のキーワードである記事キーワードを抽出し、
それぞれの前記記事キーワードに、前記記事情報全体に含まれる数に応じた順位を設定し、
順位が上から所定の順位までの前記記事キーワードが前記番組キーワードとして番組情報に含まれるそれぞれの番組に、前記記事キーワードが前記番組キーワードとして番組情報に含まれる数に応じた順位を設定し、
順位が上から所定の順位までの番組を表示候補の番組として選択し、
表示候補の番組毎の番組情報から前記番組キーワードを抽出し、
前記記事情報毎に、それぞれの前記記事情報から前記記事キーワードを抽出し、
表示候補の番組毎の番組情報に含まれる前記番組キーワードと、それぞれの前記記事情報に含まれる前記記事キーワードとのマッチングを行い、それぞれの前記記事情報に、前記番組キーワードが前記記事キーワードとして含まれる数に応じた順位を設定し、上から所定の順位までの前記記事情報を関連情報として選択し、
最も順位が高い第１の番組の画像を、順位が低い第２の番組の画像より大きく表示させるとともに、前記第１の番組の前記関連情報として選択された前記記事情報のタイトルと、前記第２の番組の前記関連情報として選択された前記記事情報のタイトルを表示させる
ステップを含む処理をコンピュータに実行させるプログラム。
【発明の詳細な説明】
【技術分野】
【０００１】
本発明は、情報処理装置および方法、並びにプログラムに関し、特に、ユーザの興味のある番組であり、かつ、一般に話題になっていると考えられる番組を選択することができるようにした情報処理装置および方法、並びにプログラムに関する。
【背景技術】
【０００２】
従来、EPG(Electronic Program Guide)として提供されてきた番組情報に含まれるキーワードの数などに基づいて話題になっていると考えられる事項を解析し、話題になっている事項にあう録画済みの番組、または放送予定の番組をユーザに紹介する技術がある。
【０００３】
これによりユーザは、例えば、サッカー番組の放送が頻繁に行われる大会の期間中、録画済みの番組や放送予定の番組の中から、サッカー番組の紹介を受けることができる。
【０００４】
特許文献１には、複数の文字列データからキーワードを抽出し、抽出したキーワードに基づいて情報を選択することで、ユーザが、特定の話題に関する情報を容易に知ることができるようにした技術が開示されている。
【特許文献１】特開平８−１６６９６１号公報
【発明の開示】
【発明が解決しようとする課題】
【０００５】
しかしながら、番組で扱われる内容は、「私の中では、または私のまわりでは、こういうことが話題になっている」という、一個人の主観的な判断を反映して選択されるものではないから、番組情報だけから判断された話題の事項が、必ずしも一般のユーザの間で話題になっているとは限らないという問題がある。
【０００６】
近年、それぞれの意見を書き込む掲示板や、個人情報を発信するツールとしても注目されているウェブログ（Weblog）（いわゆるブログ（Blog））などが普及しており、番組で扱われる事項ではないけれども、ある掲示板やBlogの中では話題として非常に盛り上がっている事項というのもかなりある。
【０００７】
本発明はこのような状況に鑑みてなされたものであり、ユーザの興味のある番組であり、かつ、一般に話題になっていると考えられる番組を選択することができるようにするものである。
【課題を解決するための手段】
【０００８】
本発明の一側面の情報処理装置は、番組情報から、それぞれの番組のキーワードである番組キーワードを抽出する第１の抽出手段と、ユーザにより登録されている配信サイトから配信されたRSS形式の記事情報全体から、前記記事情報のキーワードである記事キーワードを抽出する第２の抽出手段と、前記第２の抽出手段により抽出されたそれぞれの前記記事キーワードに、前記記事情報全体に含まれる数に応じた順位を設定する第１の設定手段と、前記第１の設定手段により設定された順位が上から所定の順位までの前記記事キーワードが前記番組キーワードとして番組情報に含まれるそれぞれの番組に、前記記事キーワードが前記番組キーワードとして番組情報に含まれる数に応じた順位を設定する第２の設定手段と、前記第２の設定手段により設定された順位が上から所定の順位までの番組を表示候補の番組として選択する第１の選択手段と、前記第１の選択手段により選択された表示候補の番組毎の番組情報から前記番組キーワードを抽出する第３の抽出手段と、前記記事情報毎に、それぞれの前記記事情報から前記記事キーワードを抽出する第４の抽出手段と、前記第３の抽出手段により抽出された、表示候補の番組毎の番組情報に含まれる前記番組キーワードと、前記第４の抽出手段により抽出された、それぞれの前記記事情報に含まれる前記記事キーワードとのマッチングを行い、それぞれの前記記事情報に、前記番組キーワードが前記記事キーワードとして含まれる数に応じた順位を設定し、上から所定の順位までの前記記事情報を関連情報として選択する第２の選択手段と、前記第１の選択手段により選択された最も順位が高い第１の番組の画像を、順位が低い第２の番組の画像より大きく表示させるとともに、前記第２の選択手段により前記第１の番組の前記関連情報として選択された前記記事情報のタイトルと、前記第２の番組の前記関連情報として選択された前記記事情報のタイトルを表示させる表示制御手段とを備える。
【０００９】
前記表示制御手段には、複数の前記第２の番組の画像を同時に表示させるようにすることができる。
【００１０】
前記表示制御手段には、前記第１の番組の画像と前記第２の番組の画像の表示はそのままに、所定の時間が経過する毎に、前記第１の番組の前記関連情報として選択された前記記事情報のタイトルを、前記第１の番組の前記関連情報として選択された他の前記記事情報のタイトルに切り替えさせ、前記第２の番組の前記関連情報として選択された前記記事情報のタイトルを、前記第２の番組の前記関連情報として選択された他の前記記事情報のタイトルに切り替えさせることができる。
【００１１】
前記表示制御手段には、前記第１の番組の画像の表示はそのままに、所定の時間が経過する毎に、表示する前記第２の番組の画像を切り替えさせることができる。
【００１２】
本発明の一側面の情報処理方法は、番組情報から、それぞれの番組のキーワードである番組キーワードを抽出し、ユーザにより登録されている配信サイトから配信されたRSS形式の記事情報全体から、前記記事情報のキーワードである記事キーワードを抽出し、それぞれの前記記事キーワードに、前記記事情報全体に含まれる数に応じた順位を設定し、順位が上から所定の順位までの前記記事キーワードが前記番組キーワードとして番組情報に含まれるそれぞれの番組に、前記記事キーワードが前記番組キーワードとして番組情報に含まれる数に応じた順位を設定し、順位が上から所定の順位までの番組を表示候補の番組として選択し、表示候補の番組毎の番組情報から前記番組キーワードを抽出し、前記記事情報毎に、それぞれの前記記事情報から前記記事キーワードを抽出し、表示候補の番組毎の番組情報に含まれる前記番組キーワードと、それぞれの前記記事情報に含まれる前記記事キーワードとのマッチングを行い、それぞれの前記記事情報に、前記番組キーワードが前記記事キーワードとして含まれる数に応じた順位を設定し、上から所定の順位までの前記記事情報を関連情報として選択し、最も順位が高い第１の番組の画像を、順位が低い第２の番組の画像より大きく表示させるとともに、前記第１の番組の前記関連情報として選択された前記記事情報のタイトルと、前記第２の番組の前記関連情報として選択された前記記事情報のタイトルを表示させるステップを含む。
【００１３】
本発明の一側面のプログラムは、番組情報から、それぞれの番組のキーワードである番組キーワードを抽出し、ユーザにより登録されている配信サイトから配信されたRSS形式の記事情報全体から、前記記事情報のキーワードである記事キーワードを抽出し、それぞれの前記記事キーワードに、前記記事情報全体に含まれる数に応じた順位を設定し、順位が上から所定の順位までの前記記事キーワードが前記番組キーワードとして番組情報に含まれるそれぞれの番組に、前記記事キーワードが前記番組キーワードとして番組情報に含まれる数に応じた順位を設定し、順位が上から所定の順位までの番組を表示候補の番組として選択し、表示候補の番組毎の番組情報から前記番組キーワードを抽出し、前記記事情報毎に、それぞれの前記記事情報から前記記事キーワードを抽出し、表示候補の番組毎の番組情報に含まれる前記番組キーワードと、それぞれの前記記事情報に含まれる前記記事キーワードとのマッチングを行い、それぞれの前記記事情報に、前記番組キーワードが前記記事キーワードとして含まれる数に応じた順位を設定し、上から所定の順位までの前記記事情報を関連情報として選択し、最も順位が高い第１の番組の画像を、順位が低い第２の番組の画像より大きく表示させるとともに、前記第１の番組の前記関連情報として選択された前記記事情報のタイトルと、前記第２の番組の前記関連情報として選択された前記記事情報のタイトルを表示させるステップを含む処理をコンピュータに実行させる。
【発明の効果】
【００１５】
本発明の一側面によれば、ユーザの興味のある番組であり、かつ、一般に話題になっていると考えられる番組を選択することができる。
【発明を実施するための最良の形態】
【００２０】
以下、本発明の実施の形態について図を参照して説明する。
【００２１】
図１は、本発明の一実施形態に係る情報処理装置と、それに接続されるテレビジョン受像機（TV）の例を示す図である。
【００２２】
情報処理装置１は、HDD(Hard Disk Drive)を内蔵するデジタル録画機器であり、番組の画像や音声をTV２から出力させるだけでなく、適宜、図示せぬアンテナにおいて受信された放送波から番組のデータを取得し、取得した番組のデータをHDDに記憶する（番組を録画する）。
【００２３】
この情報処理装置１は、放送されてきたEPGを取得したり、インターネットを介して接続される所定のサーバからダウンロードすることによってEPGを取得したりする機能も有する。EPGには、それぞれの番組について、番組のタイトル、ジャンル、放送日時、出演者、番組の概要などの番組情報が含まれている。
【００２４】
また、情報処理装置１はネットワークに接続されており、ユーザがあらかじめ登録しておいた新聞社のサイトや各種のポータルサイトなどから配信されるRSS(Resource Description Framework Site Summary)形式の情報を受信し、ニュースや解説などの記事を取得する機能を有する。すなわち、情報処理装置１はRSS形式の情報を読み取るRSSリーダ（RSS Reader）を搭載している。
【００２５】
ここで、RSSは、Webページやウェブログに書かれた文章のタイトルやハイパーリンク、文章の要約（本文）などを記述し、そのWebページやウェブログの概要を表すものとして用いられるデータ形式である。情報の提供を受ける機器は、ユーザがあらかじめ登録しておいたサイトから配信されるRSS形式の記事情報（以下、適宜、RSS記事という）を受信することによって、文章や画像などから構成されるWebページの情報を取得することができるとともに、Webページの内容が更新されたとき、その更新直後に、更新されたWebページの情報を取得したりすることができる。
【００２６】
このような機能を有する情報処理装置１においては、取得されたRSS記事から、一般で話題になっている事項が判断され、録画済みの番組、または放送中の番組の中から、その話題になっている事項を扱う番組が選択されてユーザに紹介されるようになされている。
【００２７】
例えば、ユーザが登録しておいたサイトから配信されてきたRSS記事からキーワードが抽出され、RSS記事に含まれる数などに応じてキーワードに順位が設定されるとともに、順位の高いキーワードを番組情報（タイトルや概要）に含む番組にも、その含むキーワードの数などに応じて順位が設定され、上位の番組が、ユーザに紹介する番組として選択される。
【００２８】
また、ユーザに紹介するものとして選択された番組から、それに関連する情報としてRSS記事が選択され、ユーザに紹介されるようになされている。
【００２９】
選択された番組と、番組に関連する情報であるRSS記事はTV２に表示され、ユーザは、その画面から、番組の視聴を指示したり、RSS記事の本文、あるいは、そのRSS記事により概要が表されるWebページなど（本コンテンツ）の表示を指示したりすることができる。
【００３０】
図２は、情報処理装置１により表示される番組・RSS記事紹介画面の例を示す図である。
【００３１】
番組・RSS記事紹介画面は、メイン画面１１、RSS記事タイトル表示部１１Ａ、RSS記事本文表示部１１Ｂ、サブ画面１２−１乃至１２−３、およびRSS記事タイトル表示部１２−１Ａ乃至１２−３Ａから構成される。
【００３２】
図２の例においては、メイン画面１１に最も広い領域が割り当てられ、その下にRSS記事タイトル表示部１１Ａが設けられている。RSS記事タイトル表示部１１Ａの下には、それぞれ同じ大きさの領域の画面としてサブ画面１２−１乃至１２−３が表示され、サブ画面１２−１乃至１２−３の下にRSS記事タイトル表示部１２−１Ａ乃至１２−３Ａがそれぞれ設けられている。画面右方にはRSS記事本文表示部１１Ｂが設けられている。
【００３３】
メイン画面１１は、基本的に、録画済みの番組、または放送中の番組の中から選択された最も順位の高い番組（番組の静止画または動画）が表示される領域である。例えば、RSS記事から抽出されたキーワードであって、キーワードのランキングで比較的上位にあがっているキーワードを最も多く番組情報に含んでいる番組が、最も順位の高い番組とされ、その番組がメイン画面１１に表示される。図２の例においてはメイン画面１１にはサッカー中継の画像が表示されている。
【００３４】
メイン画面１１に表示される番組の画像は、例えば、その番組が録画済みの番組である場合、録画済みの番組のデータから選択されたものとされ、その番組が放送中の番組である場合、放送中の番組の画像や、番組情報に含めて提供されてきた画像とされる。サブ画面１２−１乃至１２−３に表示される画像も同様である。
【００３５】
図２の例においては、サッカー中継の番組が表示されているメイン画面１１の下に設けられているRSS記事タイトル表示部１１Ａには、サッカー中継に関連するRSS記事のタイトルである「バーレーン戦、先発メンバー発表される」が表示されている。このタイトルは、例えば、メイン画面１１に表示されているサッカー中継の放送開始時に、所定のニュースサイトから配信されていたRSS記事のタイトルである。
【００３６】
RSS記事本文表示部１１Ｂは、RSS記事タイトル表示部１１Ａにタイトルが表示されているRSS記事の本文が表示される領域であり、図２の例においては、メイン画面１１に表示されているサッカーの試合の先発メンバーに関する記事が表示されている。
【００３７】
番組として放送されるような内容については、何かしらの情報がWebページやウェブログで取り上げられていると考えられるから、そのように番組に関するRSS記事を取得することができていれば、そのタイトルや本文を、番組とあわせて表示することが可能となる。
【００３８】
サブ画面１２−１乃至１２−３は、メイン画面１１に表示されている番組より順位が低い番組が表示される領域であり、それぞれ、サッカー番組の画像が表示されている。サブ画面１２−１乃至１２−３の下にそれぞれ設けられているRSS記事タイトル表示部１２−１Ａ乃至１２−３Ａは、サブ画面１２−１乃至１２−３に表示されている番組の関連情報として選択されたRSS記事のタイトルが表示される領域である。図２の例においては、RSS記事タイトル表示部１２−１Ａ乃至１２−３Ａには、サッカーに関するRSS記事のタイトルがそれぞれ表示されている。
【００３９】
すなわち、この例は、ユーザが、サッカーに関するRSS記事の配信を受けており、いくつかのサッカー番組が既に録画されているか、放送中である場合の例を示している。
【００４０】
ユーザは、図２の番組・RSS記事紹介画面から、メイン画面１１やサブ画面１２−１乃至１２−３に表示されている番組を選択することによって、録画済みのサッカー番組を視聴することや、RSS記事のタイトルを選択することによってRSS記事の本文や本コンテンツを見ることができる。
【００４１】
また、ユーザは、所定の操作によって、メイン画面１１やサブ画面１２−１乃至１２−３に表示される番組を切り替えることもできる。番組が切り替えられたとき、それに伴って、紹介するRSS記事（RSS記事のタイトル、本文）の表示も切り替えられる。
【００４２】
ユーザが配信を受けているRSS記事の内容は、ユーザにとって興味があるものといえるから、以上のようにしてRSS記事に基づいて番組を選択することにより、情報処理装置１は、ユーザにとって興味のある番組を選択することができる。
【００４３】
また、RSS記事の配信サイトに掲載される情報に更新があった場合、その更新直後にRSS記事が取得され、取得されたRSS記事に基づいて番組が選択されることにより、情報処理装置１は、一般のユーザの間で、いま、話題になっている事項に適した番組を選択することが可能となる。
【００４４】
このような番組・RSS記事紹介画面を表示させる情報処理装置１の処理の詳細については後述する。
【００４５】
ここで、情報処理装置１により表示される他の画面について説明する。
【００４６】
図３および図４は、情報処理装置１により表示されるメニュー画面の例を示す図である。
【００４７】
メニュー画面には、図３の点線で示すように、画面の横方向にそれぞれのカテゴリを表すアイコンであるカテゴリアイコン２１乃至２５が配列して表示される。また、図４の点線で示すように、カテゴリアイコン２１乃至２５の配列方向と直交する縦方向に、ユーザにより選択されているカテゴリに属するコンテンツを表すアイコンであるコンテンツアイコン（ビデオコンテンツアイコン３１乃至３４）が配列して表示される。なお、図３と図４の点線は、説明の便宜上付したものであり、メニュー画面に実際に表示されるものではない。
【００４８】
図３と図４の例においては、「フォト（Photo）」のカテゴリを表すカテゴリアイコン２１、「ミュージック（music）」のカテゴリを表すカテゴリアイコン２２、「ビデオ（video）」のカテゴリを表すカテゴリアイコン２３、「テレビ（television）」のカテゴリを表すカテゴリアイコン２４、および、「ゲーム（game）」のカテゴリを表すカテゴリアイコン２５が画面の左から右方向に配列して表示されている。
【００４９】
すなわち、情報処理装置１は、録画済みの番組の再生などの、番組の録画に関する操作を行うときに選択される機能である「ビデオ」機能、放送中の番組を視聴するときに選択される機能である「テレビ」機能の他に、ディジタルカメラなどから取り込んだ画像（静止画）を再生するときに選択される機能である「フォト」機能、内蔵のHDDに記憶している音楽を再生するときに選択される機能である「ミュージック」機能、ゲームを行うときに選択される機能である「ゲーム」機能を有する。
【００５０】
また、図３と図４の例においては、「ビデオ」がユーザにより選択され、「ビデオ」に属するビデオコンテンツを表すアイコンであるコンテンツアイコン３１乃至３４が縦方向に配列して表示されている。
【００５１】
コンテンツアイコン３１乃至３４のうち、いま選択されているアイコンはコンテンツアイコン３２であり、このコンテンツアイコン３２は、録画済みの番組である「サッカー特集」の再生の開始を指示するときなどに選択されるアイコンである。コンテンツアイコン３２の隣には「サッカー特集」の文字が表示されている。
【００５２】
このようなメニュー画面において、ユーザは、基本的に、リモートコントローラの横方向の操作（左右のボタン）でカテゴリを選択することができ、縦方向の操作（上下のボタン）で、選択しているカテゴリに属するコンテンツを選択することができる。
【００５３】
ユーザによる操作に応じて、カテゴリアイコン２１乃至２５（カテゴリアイコン２１乃至２５と、図３と図４では表示されていない他のカテゴリを表すカテゴリアイコン）と、コンテンツアイコン３１乃至３４（コンテンツアイコン３１乃至３４と、図３と図４では表示されていない他のコンテンツアイコン）は、それぞれ、その全体がまとめて移動して表示される。
【００５４】
例えば、「ビデオ」を選択している図３の状態で、ユーザが左ボタンを１回だけ押した場合、カテゴリアイコン２１乃至２５全体が右方向に移動し、いまカテゴリアイコン２３が表示されている位置にカテゴリアイコン２２が、カテゴリアイコン２２が表示されている位置にカテゴリアイコン２１が表示される。
【００５５】
同様に、いまカテゴリアイコン２４が表示されている位置にカテゴリアイコン２３が表示され、カテゴリアイコン２５が表示されている位置にカテゴリアイコン２４が表示される。いまカテゴリアイコン２１が表示されている位置には、カテゴリアイコン２１の左隣に配列される、図３と図４では表示されていない他のカテゴリのカテゴリアイコンが表示される。
【００５６】
これにより、「ビデオ」に替えて「ミュージック」が選択された状態になり、「ミュージック」に属するオーディオコンテンツを表すコンテンツアイコンが縦方向に配列して表示される。
【００５７】
一方、図３の状態でユーザが右ボタンを１回だけ押した場合、左ボタンを押した場合と反対にカテゴリアイコン２１乃至２５全体が左方向に移動し、「テレビ」が選択された状態になる。
【００５８】
また、例えば、コンテンツアイコン３１乃至３４が表示されている図３の状態で、ユーザが上ボタンを１回だけ押した場合、コンテンツアイコン３１乃至３４全体が上方向に移動し、いまコンテンツアイコン３１が表示されている位置にコンテンツアイコン３２が、コンテンツアイコン３２が表示されている位置にコンテンツアイコン３３が表示される。
【００５９】
同様に、いまコンテンツアイコン３３が表示されている位置にコンテンツアイコン３４が表示され、コンテンツアイコン３４が表示されている位置に、コンテンツアイコン３４の１つ下に配列される、図３と図４では表示されていないコンテンツアイコンが表示される。
【００６０】
これにより、コンテンツアイコン３２が選択されていた状態から、コンテンツアイコン３３が選択されている状態に切り替わる。このとき、コンテンツアイコン３３の隣には、コンテンツアイコン３３により表されるビデオコンテンツのタイトル等が表示される。
【００６１】
一方、図３の状態でユーザが下ボタンを１回だけ押した場合、上ボタンを押した場合と反対にコンテンツアイコン３１乃至３４全体が下方向に移動し、コンテンツアイコン３１が選択された状態になる。
【００６２】
ユーザは、このようなメニュー画面から、図２に示されるような番組・RSS記事紹介画面を表示させることができる。
【００６３】
例えば、ユーザ（プロファイル）を選択するためのカテゴリを選択した場合、情報処理装置１が家族などの複数のユーザにより使用されるものであるときには、「父」、「母」、「兄」、「妹」などの、情報処理装置１をいま使用しているユーザを選択するためのアイコン（文字）が縦方向に並んで表示される。ユーザが父親である場合、その父親は、「父」のアイコンを選択することによって、自分にあった番組、RSS記事の紹介を受けることができる。
【００６４】
図５Ａは、メニュー画面において、ユーザを選択するためのカテゴリが選択されたときの表示例を示す図である。
【００６５】
図５Ａの例においては、「弟」、「父」、「母」、「兄」のアイコンが縦方向に並んで表示されている。ユーザが「父」のアイコンを選択した場合、「父」が、サッカーに関するRSS記事の配信を受けており、いま、一般にサッカーが話題になっているときには、図５Ｂに示すように、TV２には、サッカー番組やそれに関連するRSS記事を紹介する番組・RSS記事紹介画面が表示される。
【００６６】
同様に、「父」が、競馬に関するRSS記事の配信も受けており、いま、一般に競馬（ダービー）が話題になっている場合、図６Ａに示すようにしてユーザが「父」のアイコンを選択したときには、図６Ｂに示すように、TV２には、競馬番組やそれに関連するRSS記事を紹介する番組・RSS記事紹介画面が表示される。
【００６７】
また、情報処理装置１を使用しているユーザが母親であり、図７Ａに示すようにして「母」のアイコンを選択した場合、図７Ｂに示すように、「母」がRSS記事の配信を受けている事項と関係があり、いま、一般に話題になっている事項を扱う番組が番組・RSS記事紹介画面に表示される。
【００６８】
ユーザが配信を受けているRSS記事の内容や、RSS記事から判断されるそのときの話題に基づいて選択されるから、番組・RSS記事紹介画面により紹介される番組やRSS記事は、このように、情報処理装置１を使用しているユーザによって、または、使用するタイミングによって切り替えられることになる。
【００６９】
図８は、情報処理装置１のハードウェア構成例を示すブロック図である。
【００７０】
CPU(Central Processing Unit)１０１は、ROM(Read Only Memory)１０３に記憶されたプログラムや、HDD１１８から、HDD I/F１１７およびバス１０４を介してRAM(Random Access Memory)１０２にロードされたプログラムを実行し、例えば、U/I制御部１０５により受信されたユーザからの指示（リモートコントローラからのコマンド）に応じて各部の動作を制御する。
【００７１】
なお、CPU１０１として、”Cell誕生”、日経エレクトロニクス、日経BP社、２００５年２月２８日、８９頁乃至１１７頁に記載されているCellを採用することができる。
【００７２】
チューナ１０６は、CPU１０１による制御に従って、図示せぬアンテナからの放送信号を受信し、受信信号を復調器１０７に出力する。
【００７３】
復調器１０７は、チューナ１０６から供給されてきた受信信号を復調し、所定のチャンネルで放送されてきたトランスポートストリームをTSデコーダ１０８に出力する。
【００７４】
TSデコーダ１０８は、CPU１０１による制御に従って、復調器１０７から供給されてきたトランスポートストリームから所定のストリームをRAM１０９を用いて抽出し、抽出したストリームを構成するパケットをバス１０４上に、または、AVデコーダ１１０に出力する。バス１０４上に供給されたパケット（番組のデータ）は、例えば、HDD I/F１１７を介してHDD１１８に供給され、記憶される。また、TSデコーダ１０８により得られたEPGも、適宜、HDD１１８に供給され、記憶される。
【００７５】
AVデコーダ１１０は、TSデコーダ１０８から供給されてきたビデオデーダ（ビデオパケット）とオーディオデータ（オーディオパケット）をRAM１１１を用いてデコードし、デコードして得られたオーディオ信号をMUX１１２に、ビデオ信号をMUX１１３にそれぞれ出力する。
【００７６】
MUX１１２は、AVデコーダ１１０から供給されてきたオーディオ信号に対応する音声をTV２のスピーカ２Ｂから出力させる。
【００７７】
MUX１１３は、AVデコーダ１１０から供給されてきたビデオ信号と、表示コントローラ１１４から供給されてきたビデオ信号（OSD(On Screen Display)信号）に基づいて、番組・RSS記事紹介画面などの各種の画面、画像をTV２のディスプレイ２Ａに表示させる。
【００７８】
表示コントローラ１１４は、CPU１０１による制御に従って、各種の画像をディスプレイ２Ｂに表示させるためのビデオ信号を生成し、生成したビデオ信号をMUX１１３に出力する。
【００７９】
SIO(Serial I/O)コントローラ１１５は、高速モデム１３１を制御することによってインターネット１３２を介してWebサーバ１３３に接続し、EPGなどを必要に応じてダウンロードする。ダウンロードにより得られたEPGはHDD１１８に供給され、記憶される。また、SIOコントローラ１１５は、ユーザにより登録されているRSS記事の配信サイトにアクセスし、RSS記事を受信する。受信して得られたRSS記事もHDD１１８に供給され、記憶される。
【００８０】
IEEE(Institute of Electrical and Electronics Engineers)1394 I/F１１６は、IEEE1394ケーブルを介して接続されるビデオカメラ１３４からビデオデータを取り込む。
【００８１】
HDD I/F１１７は、バス１０４を介して供給されてきたデータをHDD１１８に記憶させるとともに、要求に応じて、HDD１１８に記憶されているデータをバス１０４を介して各部に供給する。
【００８２】
カードI/F１１９は、バス１０４を介して供給されてきたデータを、カードスロット１２０に装着されたメモリカード１３５に記録させ、また、メモリカード１３５に記録されているデータを読み出してバス１０４上に出力する。
【００８３】
図９は、情報処理装置１の機能構成例を示すブロック図である。図９に示す機能部のうちの少なくとも一部は、図８のCPU１０１により所定のプログラムが実行されることによって実現される。
【００８４】
情報処理装置１は、RSS記事取得部１５１、RSS記事データベース１５２、番組情報取得部１５３、番組情報データベース１５４、番組選択部１５５、RSS記事選択部１５６、および表示制御部１５７から構成される。
【００８５】
RSS記事取得部１５１は、SIOコントローラ１１５などを制御し、ユーザによりあらかじめ登録されているサイトにアクセスしてRSS記事を取得する。RSS記事の取得は、ユーザが情報処理装置１の電源を入れたとき、または、番組・RSS記事紹介画面の表示を指示したとき（メニュー画面からユーザのアイコンを選択したとき）などの所定のタイミングで行われる。
【００８６】
例えば、父親により登録されている配信サイト、母親により登録されている配信サイトなどに対して順次アクセスが行われ、それぞれのサイトからRSS記事が取得される。ユーザがRSS記事の配信先となるサイトを登録したとき、プロファイル情報が生成され、アクセス先となるサイトは、それぞれのユーザのプロファイル情報から特定される。RSS記事取得部１５１により取得されたRSS記事はRSS記事データベース１５２に出力され、記憶される。記憶されているRSS記事は、RSS記事データベース１５２に記憶されてから所定の時間が経過したときに消去されるようにしてもよい。
【００８７】
番組情報取得部１５３は、TSデコーダ１０８により放送波から取得されたEPGデータ、または所定のサーバからインターネット１３２を介して取得されたEPGデータから、それぞれの番組の番組情報を取得し、取得した番組情報を番組情報データベース１５４に記憶させる。番組情報データベース１５４には、放送中や放送予定の番組の番組情報の他に、録画された番組の番組情報も記憶されている。
【００８８】
番組選択部１５５は、RSS記事データベース１５２に記憶されているRSS記事からキーワードを抽出し、RSS記事に含まれる数などに応じてキーワードに順位を設定するとともに、番組情報データベース１５４を参照し、順位の高いキーワードを番組情報に含む番組にも、その含むキーワードの数などに応じて順位を設定する。
【００８９】
また、番組選択部１５５は、設定した順位に基づいて、上位にあがっている所定の数の番組を表示候補の番組として選択し、選択した番組の情報を、それぞれの番組に対して設定した順位とともにRSS記事選択部１５６と表示制御部１５７に出力する。番組選択部１５５の詳細については後述する。
【００９０】
RSS記事選択部１５６は、番組選択部１５５により選択された番組に関連するRSS記事を、RSS記事データベース１５２に記憶されているRSS記事と番組情報データベース１５４に記憶されている番組情報を参照して選択し、選択したRSS記事のタイトルや本文を表示制御部１５７に出力する。すなわち、番組選択部１５５においてはRSS記事に基づいて番組を選択することが行われるのに対して、RSS記事選択部１５６においては、番組に基づいてRSS記事を選択することが行われる。RSS記事選択部１５６の詳細については後述する。
【００９１】
表示制御部１５７は、番組選択部１５５により選択された表示候補の番組の画像をHDD１１８などから取得し、それぞれの番組を番組・RSS記事紹介画面に表示させる。例えば、番組・RSS記事紹介画面に表示される番組の画像が４つとされており、それ以上の数の番組が表示候補の番組として番組選択部１５５により選択された場合、表示制御部１５７により４つの番組だけが表示候補の番組の中から選択され、選択された４つの番組がそれぞれの領域に表示される。どの領域にどの番組の画像が表示されるのかは番組に設定された順位やユーザの操作により決定される。
【００９２】
また、表示制御部１５７は、RSS記事選択部１５６から供給されてきた情報に基づいて、RSS記事のタイトルをそれぞれの番組の近傍に表示させるとともに、メイン画面１１に表示されている番組に関連するRSS記事については、その本文を表示させる。
【００９３】
図１０は、図９の番組選択部１５５の詳細な構成例を示すブロック図である。
【００９４】
番組キーワード抽出部１７１は、それぞれの番組の番組情報を番組情報データベース１５４から読み出し、用意されている辞書を参照するなどして、番組毎に、キーワード（番組キーワード）を抽出する。それぞれの番組の番組情報から抽出された番組キーワードは番組ランキング作成部１７４に出力される。
【００９５】
RSS記事キーワード抽出部１７２は、RSS記事データベース１５２に記憶されている、それぞれのユーザが配信を受けているRSS記事全体を読み出し、用意されている辞書を参照するなどしてキーワード（RSS記事キーワード）を抽出する。例えば、父親が３つの配信サイトからRSS記事の配信を受けている場合、それらの配信サイトから取得されたRSS記事全体を対象としてRSS記事キーワードの抽出が行われる。RSS記事キーワード抽出部１７２により抽出されたRSS記事キーワードはRSS記事キーワードランキング作成部１７３に出力される。
【００９６】
RSS記事キーワードランキング作成部１７３は、RSS記事キーワード抽出部１７２により抽出されたRSS記事キーワードに対して、RSS記事に含まれる数などに応じて点数を与え、RSS記事キーワードのランキング（RSS記事キーワードランキング）を作成する。キーワードに与えられる点数には、適宜、所定の重み付けがされるようにしてもよい。
【００９７】
RSS記事に多く含まれるキーワードは、一般に話題になっている事項を表す単語であると考えられるから、RSS記事キーワードランキング作成部１７３により作成されたRSS記事キーワードランキングの上位にあがっている所定の数のキーワードは、話題を表すキーワードである話題キーワードとして番組ランキング作成部１７４に出力される。
【００９８】
番組ランキング作成部１７４は、番組キーワード抽出部１７１から供給されてきたそれぞれの番組についての番組キーワードの中に、RSS記事キーワードランキング作成部１７３から供給されてきた話題キーワードが含まれるか否かを判断し、含まれる場合には、それが含む話題キーワードの数に応じた点数をそれぞれの番組に設定して、番組のランキング（番組ランキング）を作成する。
【００９９】
話題キーワードと同じ単語を番組情報に含む番組は、話題になっている事項を扱う番組であると考えられるから、この番組ランキングは、話題の番組のランキングを表すものといえる。なお、番組に与えられる点数には、番組キーワードの中に含まれる話題キーワードの順位（RSS記事キーワードランキングにおける順位）に応じた重み付けがされるようにしてもよい。番組ランキング作成部１７４により作成された番組ランキングは選択部１７５に出力される。
【０１００】
選択部１７５は、番組ランキング作成部１７４により作成された番組ランキングにあがっている所定の数の番組を表示候補の番組として選択し、表示候補の番組の情報をRSS記事選択部１５６と表示制御部１５７に出力する。
【０１０１】
図１１は、番組選択部１５５による処理の流れを示す図である。
【０１０２】
例えば、白抜き矢印Ａ1に示されるように、それぞれの番組の番組情報から、番組キーワードが番組キーワード抽出部１７１により抽出される。
【０１０３】
一方、白抜き矢印Ａ2に示されるように、ユーザが配信を受けているRSS記事全体からRSS記事キーワードがRSS記事キーワード抽出部１７２により抽出され、抽出されたRSS記事キーワードのランキングがRSS記事キーワードランキング作成部１７３により作成される。
【０１０４】
図１１は、父親がサッカーの記事とスポーツ全般の記事と競馬の記事との３つのRSS記事の配信を受けている場合の例を示しており、これらのサッカーの記事、スポーツ全般の記事、および競馬の記事全体を対象としてキーワードの抽出が行われる。図１１のRSS記事キーワードランキングにおいては、２０点が与えられた「予選」が１位のキーワードとされ、１９点が与えられた「日本」が２位のキーワードとされている。
【０１０５】
番組キーワードと、RSS記事キーワードランキングにおいて１位から５０位までにあがっているキーワードである話題キーワードから、白抜き矢印Ａ3，Ａ4に示されるように、それぞれの番組の番組キーワードの中に含まれる話題キーワードの数（番組内話題キーワード数）が数えられ、その数に応じて番組に点数が与えられて、白抜き矢印Ａ5の先に示されるように番組ランキングが作成される。
【０１０６】
図１１の例においては、９点が与えられた「日本対バーレーン」が１位の番組とされ、８点が与えられた「イラン対北朝鮮」が２位の番組とされている。「日本対バーレーン」、「イラン対北朝鮮」などの番組のタイトルは、白抜き矢印Ａ6に示されるように番組情報から得られるものである。
【０１０７】
図１２は、父親が録画しておいた番組の番組情報の例を示す図である。
【０１０８】
図１２の例においては、相撲、競馬、サッカーの番組が録画済みの番組とされており、図に示されるような番組タイトル、詳細情報（番組詳細）が番組情報データベース１５４に記憶される。
【０１０９】
図１３は、図１２の番組情報などに基づいて作成された番組ランキングの例を示す図である。
【０１１０】
図１３においては、上位７つの番組の番組タイトル、詳細情報の例が示されており、１位の番組は、話題キーワードを番組情報の中に８つだけ含む「日本対バーレーン」の番組とされている。
【０１１１】
父親が、自分のプロファイルを選択して番組・RSS記事紹介画面の表示を指示したとき、このような番組ランキングにあがっている番組の中から上位４つの番組が選択され、番組・RSS記事紹介画面のそれぞれの領域に表示される。
【０１１２】
図１４は、母親が録画しておいた番組の番組情報の例を示す図である。
【０１１３】
図１４の例においては、アイドルが出演するバラエティー番組や歌番組が録画済みの番組とされており、図に示されるような番組タイトル、詳細情報が番組情報データベース１５４に記憶される。
【０１１４】
図１５は、図１４の番組情報などに基づいて作成された番組ランキングの例を示す図である。
【０１１５】
図１５においては、上位７つの番組の番組タイトル、詳細情報の例が示されており、１位の番組は、話題キーワードを番組情報の中に４つだけ含む「SNAP×SNAP」の番組とされている。
【０１１６】
母親が、自分のプロファイルを選択して番組・RSS記事紹介画面の表示を指示したとき、このような番組ランキングにあがっている番組の中から上位４つの番組が選択され、番組・RSS記事紹介画面のそれぞれの領域に表示される。
【０１１７】
なお、ユーザ１人ずつに番組が選択されるのではなく、複数のユーザ（例えば、家族全員）がそれぞれ配信を受けているRSS記事全体に基づいて番組が選択され、それが、ユーザ全員に適した番組として紹介されるようにしてもよい。
【０１１８】
また、複数のユーザ（例えば、家族全員）の録画した番組から、各ユーザそれぞれが配信をうけているRSS記事に基づいて番組が選択され、それが、各ユーザに適した番組として紹介されるようにしてもよい。
【０１１９】
図１６は、図９のRSS記事選択部１５６の詳細な構成例を示すブロック図である。
【０１２０】
番組キーワード抽出部１８１は、番組選択部１５５により選択された表示候補の番組の番組情報を番組情報データベース１５４から読み出し、用意されている辞書を参照するなどして番組キーワードを抽出する。番組キーワード抽出部１８１は、番組キーワードのリストを作成し、作成したリストを選択部１８３に出力する。
【０１２１】
RSS記事キーワード抽出部１８２は、RSS記事データベース１５２に記憶されているそれぞれのRSS記事から、用意されている辞書を参照するなどしてRSS記事キーワードを抽出し、抽出したRSS記事キーワードのリストをRSS記事毎に作成する。すなわち、RSS記事キーワード抽出部１８２により、１つのRSS記事から１つのRSS記事キーワードリストが作成される。RSS記事キーワード抽出部１８２により作成されたRSS記事キーワードリストは選択部１８３に出力される。
【０１２２】
選択部１８３は、番組キーワード抽出部１８１から供給されてきたリストにあがっている番組キーワードと、RSS記事キーワード抽出部１８２から供給されてきたリストにあがっているRSS記事キーワードのマッチングを行い、番組キーワードを含む数に応じたRSS記事のランキングを作成する。また、選択部１８３は、作成したRSS記事のランキングの上位にあがっている所定の数のRSS記事を選択し、そのタイトルと本文を表示制御部１５７に出力する。
【０１２３】
図１７は、RSS記事選択部１５６による処理の流れを示す図である。
【０１２４】
例えば、白抜き矢印Ａ11に示されるように、表示候補の番組の番組情報から、番組キーワードが番組キーワード抽出部１８１により抽出される。図１７の例においては、表示候補の番組のタイトルは「日本対バーレーン」とされ、その詳細情報は「最終予選いよいよ決戦・・・」とされている。また、このタイトル、詳細情報から、「日本」、「バーレーン」、「最強」、「アジア」のキーワードが番組キーワードとして抽出され、それらのキーワードが番組キーワードリストにあげられている。
【０１２５】
一方、矢印Ａ12に示されるように、それぞれのRSS記事からRSS記事キーワードリストが作成される。図１７の例においては、サッカーに関するRSS記事であるRSS記事Ａからは「日本」、「バーレーン」、「予選」、・・・を含むRSS記事キーワードリストが、同じくサッカーに関するRSS記事であるRSS記事Ｂからは「ジーコ」、「アジア」、「決戦」、・・・を含むRSS記事キーワードリストがそれぞれ作成されている。
【０１２６】
白抜き矢印Ａ13-1乃至Ａ13-nに示されるように、それぞれのRSS記事キーワードリストにあがっているRSS記事キーワードと、番組キーワードリストにあがっている番組キーワードのマッチングが行われ、白抜き矢印Ａ14の先に示されるように、RSS記事キーワードに含まれる番組キーワードの数に応じて点数が与えられ、RSS記事のリスト（ランキング）が作成される。図１７の例においては、RSS記事リストには、RSS記事Ａ、RSS記事Ｄ、RSS記事Ｅ、・・・があげられている。このRSS記事リストから所定のRSS記事が選択され、選択されたRSS記事のタイトルや本文が番組・RSS記事紹介画面に表示される。
【０１２７】
次に、以上のような構成を有する情報処理装置１の一連の処理について説明する。
【０１２８】
はじめに、図１８のフローチャートを参照して、情報処理装置１の番組選択・表示処理について説明する。
【０１２９】
ステップＳ１において、CPU１０１は、番組情報（EPG）の取得中であるか否かを判定し、取得中である場合、その取得が終了するまで待機する。TSデコーダ１０８により放送波から取得されたEPG、またはSIOコントローラ１１５により所定のサーバから取得されたEPGはHDD１１８に供給され、記憶される。
【０１３０】
CPU１０１は、ステップＳ１において、番組情報の取得中ではない、または、取得が終了したと判定した場合、ステップＳ２に進み、いまの状態が待機中の状態であるときには、電源オンの状態（リモートコントローラを用いたユーザの操作を受け付けることが可能な状態）にすることが指示されたか否かを判定する。
【０１３１】
ステップＳ２において、既に電源オンの状態にあり、電源オンの状態にすることが指示されていないと判定した場合、CPU１０１は、ステップＳ３に進み、メニュー画面の表示が指示され、メニュー画面から、プロファイル選択（ユーザ選択）のカテゴリが選択されたか否かを判定する。CPU１０１は、ステップＳ３において、メニュー画面の表示等が指示されていないと判定した場合、ステップＳ１に戻り、以上の処理を繰り返し実行する。
【０１３２】
一方、ステップＳ３において、メニュー画面の表示が指示され、プロファイル選択のカテゴリが選択されたと判定した場合、ステップＳ４に進み、CPU１０１はプロファイル選択処理を実行する。
【０１３３】
また、ステップＳ２において、電源オンの状態にすることが指示されたと判定した場合も、ステップＳ４に進み、CPU１０１はプロファイル選択処理を実行する。すなわち、メニュー画面からだけでなく、電源オンを指示したときに表示される画面からも、ユーザはプロファイルを選択し、番組・RSS記事紹介画面を表示させることができる。
【０１３４】
ステップＳ４においてプロファイルが選択されたとき、プロファイル選択処理は終了され、処理はステップＳ５に進む。プロファイル選択処理については図１９のフローチャートを参照して後述する。
【０１３５】
ステップＳ５において、CPU１０１はRSS記事取得処理を行う。この処理により、最新のRSS記事が取得され、最新のRSS記事に基づいて以降の処理が行われる。RSS記事取得処理については図２０のフローチャートを参照して後述する。
【０１３６】
ステップＳ６において、CPU１０１は、ユーザに紹介する番組を選択する番組選択処理を行う。この処理により、番組・RSS記事紹介画面に表示される候補の番組が選択される。番組選択処理については図２１のフローチャートを参照して後述する。
【０１３７】
ステップＳ７において、CPU１０１は、ステップＳ６の番組選択処理において選択された表示候補の番組の中から選択した所定の番組を番組・RSS記事紹介画面に表示させる選択番組表示処理を行う。選択番組表示処理については図２２のフローチャートを参照して後述する。
【０１３８】
なお、番組の関連情報として紹介されるRSS記事の選択処理も以上の処理と並行して行われており、ステップＳ７の処理により番組が表示されるのと同じタイミングで、RSS記事のタイトルや本文の表示も行われる。すなわち、後述する図２３の処理は、図１８の処理と並行して行われる。例えば、図２３のステップＳ５６の処理（番組関連情報表示処理）が、図１８のステップＳ７の処理と同じタイミングで行われることにより、番組と、RSS記事のタイトル、本文が番組・RSS記事紹介画面に表示される。
【０１３９】
番組・RSS記事紹介画面の表示を終了することが指示されたとき、処理はステップＳ１に戻り、それ以降の処理が行われる。
【０１４０】
次に、図１９のフローチャートを参照して、図１８のステップＳ４において行われるプロファイル選択処理について説明する。
【０１４１】
メニュー画面からプロファイル選択のカテゴリが選択された場合、ステップＳ１１において、CPU１０１は、「父」、「母」などの、登録されているプロファイルのアイコンが縦方向に並んで表示される、図５Ａに示されるような画面（プロファイル選択画面）を表示させる。このとき、ユーザは、リモートコントローラなどを用いた上下方向の操作で自分のプロファイルを選択することができる。
【０１４２】
ユーザによりプロファイルが選択されたとき、CPU１０１は、ステップＳ１２においてそれを受け付ける。その後、処理は図１８のステップＳ４に戻り、それ以降の処理が行われる。
【０１４３】
次に、図２０のフローチャートを参照して、図１８のステップＳ５において行われるRSS記事取得処理について説明する。
【０１４４】
ステップＳ２１において、CPU１０１のRSS記事取得部１５１（図９）は、プロファイル選択処理で選択されたプロファイルの情報から、RSS記事の取得先となるサイトのリストを取得する。すなわち、RSS記事の配信サイトのリストがユーザ毎に用意されており、そのリストには、配信サイトのURL(Uniform Resource Locator)などが記述されている。
【０１４５】
ステップＳ２２において、RSS記事取得部１５１は、リストにあがっている全てのRSS記事の配信サイトにアクセスしてRSS記事を取得し、取得したRSS記事をRSS記事データベース１５２に記憶させる。その後、処理は図１８のステップＳ５に戻り、それ以降の処理が行われる。
【０１４６】
次に、図２１のフローチャートを参照して、図１８のステップＳ６において行われる番組選択処理について説明する。
【０１４７】
ステップＳ３１において、CPU１０１の番組キーワード抽出部１７１（図１０）は、放送中の番組、録画済みの番組の番組情報を番組情報データベース１５４から読み出し、ステップＳ３２に進み、番組毎に、番組キーワードを抽出する。番組キーワード抽出部１７１により抽出された番組キーワードは番組ランキング作成部１７４に出力される。
【０１４８】
ステップＳ３３において、RSS記事キーワード抽出部１７２は、ユーザが配信を受けているRSS記事全体をRSS記事データベース１５２から読み出し、読み出したRSS記事からRSS記事キーワードを抽出する。RSS記事キーワード抽出部１７２により抽出されたRSS記事キーワードはRSS記事キーワードランキング作成部１７３に出力される。
【０１４９】
ステップＳ３４において、RSS記事キーワードランキング作成部１７３は、RSS記事キーワード抽出部１７２により抽出されたRSS記事キーワードに対して、RSS記事に含まれる数などに応じて点数を与え、RSS記事キーワードランキングを作成する。この処理により作成されたRSS記事キーワードランキングにあがっている、例えば上位５０位までのキーワードは話題キーワードとして番組ランキング作成部１７４に出力される。
【０１５０】
ステップＳ３５において、番組ランキング作成部１７４は、番組キーワード抽出部１７１から供給されてきたそれぞれの番組の番組キーワードの中に、RSS記事キーワードランキング作成部１７３から供給されてきた話題キーワードが含まれるか否かを判断し、含まれる場合には、それが含む話題キーワード（番組内話題キーワード）の数を数える。
【０１５１】
番組ランキング作成部１７４は、ステップＳ３６に進み、ステップＳ３５で数えた番組内話題キーワードの数に応じた点数をそれぞれの番組に与え、番組ランキングを作成する。番組ランキング作成部１７４により作成された番組ランキングは選択部１７５に出力される。
【０１５２】
ステップＳ３７において、選択部１７５は、番組ランキング作成部１７４により作成された番組ランキングの上位にあがっている所定の数の番組を表示候補の番組として選択し、選択した番組の情報をRSS記事選択部１５６と表示制御部１５７に出力する。その後、処理は図１８のステップＳ６に戻り、それ以降の処理が行われる。
【０１５３】
なお、番組を選択するための処理は以上の処理に限られない。すなわち、RSS記事により一般に話題になっている事項が解析され、それにあう番組が番組情報に基づいて選択される処理であれば、どのような手順で進められる処理が用いられるようにしてもよい。
【０１５４】
次に、図２２のフローチャートを参照して、図１８のステップＳ７において行われる選択番組表示処理について説明する。
【０１５５】
ステップＳ４１において、表示制御部１５７は、番組選択部１５５により選択された表示候補の番組の中から、番組・RSS記事紹介画面に表示する番組の数と同じ数の番組を選択する。ここでは、例えば、番組ランキングで１位のものから順に、番組・RSS記事紹介画面に表示する番組の数と同じ数の番組が選択される。
【０１５６】
ステップＳ４２において、表示制御部１５７は、より上位の番組が大きく表示されるように、ステップＳ４１で選択した番組を、それぞれの番組に設定された順位に応じた位置に表示させる。すなわち、４つの番組が選択されている場合、最も高い順位の番組はメイン画面１１に表示され、他の番組はサブ画面１２−１乃至１２−３に表示される。
【０１５７】
ステップＳ４３において、表示制御部１５７は、ユーザ操作などに応じて番組・RSS記事紹介画面の表示を切り替える。
【０１５８】
例えば、表示制御部１５７は、１つの録画済みの番組が選択され、その再生が指示されたとき、選択された番組の画像だけをTV２の全面に表示させる。また、選択された番組が放送中の番組である場合、その放送中の番組に対して行うことが可能な操作のメニュー画面を表示させたりする。このメニュー画面から、ユーザは、紹介された放送中の番組の録画を指示したりすることができる。
【０１５９】
さらに、メイン画面１１やサブ画面１２−１乃至１２−３に表示されている番組を切り替えることが指示された場合、番組選択部１５５は、いま表示されていない、他の表示候補の番組をそれぞれの領域に表示させたりする。
【０１６０】
番組・RSS記事紹介画面の表示を終了することが指示されたとき、処理は図１８のステップＳ７に戻り、ステップＳ１以降の処理が繰り返し行われる。
【０１６１】
次に、図２３のフローチャートを参照して、情報処理装置１の番組関連情報選択・表示処理について説明する。
【０１６２】
ステップＳ５１において、CPU１０１は、番組・RSS記事紹介画面の表示中であるか否かを判定し、表示中であると判定するまで待機する。
【０１６３】
例えば、番組・RSS記事紹介画面を表示する場合（図１８の処理により表示候補の番組が選択された場合）、または、番組・RSS記事紹介画面を既に表示している場合、CPU１０１は、ステップＳ５１において、番組・RSS記事紹介画面の表示中であると判定し、ステップＳ５２に進む。
【０１６４】
CPU１０１は、ステップＳ５２において、番組・RSS記事紹介画面に表示される番組を変更するか否かを判定する。CPU１０１は、ステップＳ５２において、番組を変更すると判定した場合、ステップＳ５３に進む。
【０１６５】
CPU１０１は、ステップＳ５３において番組情報を取得した場合、または、ステップＳ５２において番組を変更しないと判定した場合、ステップＳ５４に進む。
【０１６６】
ステップＳ５４において、CPU１０１はRSS記事の取得処理を行う。ここでは、図２０を参照して説明した処理と同様の処理により最新のRSS記事が取得され、取得されたRSS記事に基づいて以降の処理が行われる。
【０１６７】
ステップＳ５５において、CPU１０１は番組関連情報選択処理を行い、番組・RSS記事紹介画面に表示される番組に関連する情報としてのRSS記事を選択する。番組関連情報選択処理については図２４のフローチャートを参照して後述する。
【０１６８】
ステップＳ５６において、CPU１０１は番組関連情報表示処理を行い、ステップＳ５５の処理で選択されたRSS記事のタイトルや本文を番組・RSS記事紹介画面に表示させる。このステップＳ５６の処理が、図１８のステップＳ７の処理と同じタイミングで行われることにより、図２に示されるような番組・RSS記事紹介画面の表示が実現される。番組関連情報表示処理については図２５のフローチャートを参照して後述する。
【０１６９】
番組・RSS記事紹介画面の表示を終了することが指示されたとき、処理はステップＳ５１に戻り、それ以降の処理が行われる。
【０１７０】
次に、図２４のフローチャートを参照して、図２３のステップＳ５５において行われる番組関連情報選択処理について説明する。
【０１７１】
ステップＳ６１において、CPU１０１の番組キーワード抽出部１８１（図１６）は、番組選択部１５５により選択された表示候補の番組の番組情報を番組情報データベース１５４から読み出し、ステップＳ６２に進み、番組キーワードを抽出する。
【０１７２】
ステップＳ６３において、番組キーワード抽出部１８１は、ステップＳ６２で抽出した番組キーワードのリストを作成し、作成したリストを選択部１８３に出力する。
【０１７３】
ステップＳ６４において、RSS記事キーワード抽出部１８２は、RSS記事データベース１５２に記憶されているそれぞれのRSS記事からRSS記事キーワードを抽出し、ステップＳ６５に進み、ステップＳ６４で抽出したRSS記事キーワードのリストを作成する。RSS記事キーワード抽出部１８２により作成されたRSS記事キーワードのリストは選択部１８３に出力される。
【０１７４】
ステップＳ６６において、選択部１８３は、番組キーワード抽出部１８１から供給されてきた番組キーワードリストにあがっている番組キーワードと、RSS記事キーワード抽出部１８２から供給されてきたRSS記事キーワードリストにあがっているRSS記事キーワードのマッチングを行い、それぞれのRSS記事から抽出されたRSS記事キーワードに含まれる番組キーワードの数を数える。
【０１７５】
ステップＳ６７において、選択部１８３は、ステップＳ６６の処理結果から、含んでいる番組キーワードの数に応じたRSS記事のランキングを作成し、ステップＳ６８に進む。
【０１７６】
ステップＳ６８において、選択部１８３は、RSS記事ランキングの上位にあがっている所定の数のRSS記事を番組関連情報として選択し、選択したRSS記事を表示制御部１５７に出力する。その後、処理は図２２のステップＳ５５に戻り、それ以降の処理が行われる。
【０１７７】
以上の処理が表示候補の番組のそれぞれに対して行われることにより、１つの表示候補の番組に対して、１つのRSS記事のランキングが作成され、それにあがっているRSS記事が番組関連情報として選択されることになる。
【０１７８】
なお、RSS記事を選択するための処理も以上の処理に限られない。すなわち、いずれかの手順によって選択された表示候補の番組に関連するRSS記事が、RSS記事と番組情報に基づいて選択される処理であれば、どのような手順で進められる処理が用いられるようにしてもよい。
【０１７９】
次に、図２５のフローチャートを参照して、図２３のステップＳ５６において行われる番組関連情報表示処理について説明する。
【０１８０】
ステップＳ７１において、表示制御部１５７は、番組・RSS記事紹介画面に表示するそれぞれの番組に関連するRSS記事のタイトルを、それぞれの番組の近傍に表示させる。
【０１８１】
これにより、例えば、メイン画面１１の下に設けられるRSS記事タイトル表示部１１Ａには、メイン画面１１に表示されている番組に関連するRSS記事のタイトルが表示される。また、サブ画面１２−１乃至１２−３の下に設けられるRSS記事タイトル表示部１２−１Ａ乃至１２−３Ａには、それぞれ、サブ画面１２−１乃至１２−３に表示されている番組に関連するRSS記事のタイトルが表示される。番組・RSS記事紹介画面の表示直後に表示されるRSS記事のタイトルは、例えば、選択部１８３により作成されたRSS記事のランキングで最も順位の高いRSS記事のタイトルとされる。
【０１８２】
ステップＳ７２において、表示制御部１５７は、メイン画面１１に表示している番組に関連するRSS記事の本文（RSS記事タイトル表示部１１Ａにタイトルが表示されているRSS記事の本文）をRSS記事本文表示部１１Ｂに表示させる。これにより、ユーザは、RSS記事の本文を読みながら、メイン画面１１に表示されている番組を視聴するかどうかを決めたりすることができる。
【０１８３】
ステップＳ７３において、表示制御部１５７は、RSS記事のタイトル、本文の表示をユーザ操作などに応じて切り替える。
【０１８４】
例えば、RSS記事のタイトルが選択されたとき、表示制御部１５７は、RSS記事の本文や本コンテンツを表示させる。また、１つの番組に対しては複数のRSS記事が関連情報として選択されているから、例えば、表示制御部１５７は、それぞれのRSS記事のタイトルや本文を、設定されている順位に従って所定時間間隔で順次表示させたりする。
【０１８５】
ここで、RSS記事の表示の切り替えについて説明する。
【０１８６】
図２６は、TV２の表示領域を示す図である。
【０１８７】
図２６においては、図２のメイン画面１１は領域Ａ、RSS記事タイトル表示部１１Ａは領域a1、RSS記事本文表示部１１Ｂは領域a2でそれぞれ表されている。また、図２のサブ画面１２−１乃至１２−３は領域Ｂ乃至Ｄ、RSS記事タイトル表示部１２−１Ａ乃至１２−３Ａは領域ｂ乃至ｄでそれぞれ表されている。
【０１８８】
図２７は、表示候補の番組と、その関連情報であるRSS記事を示す図である。
【０１８９】
図２７においては、表示候補の番組として番組V1，V2，V3，V4，V5，・・・が示されており、そのうちの番組V1にはRSS記事R(V1-1)，R(V1-2)，R(V1-3)が、番組V2にはRSS記事R(V2-1)，R(V2-2)，R(V2-3)が番組に関連するRSS記事とされている。番組V2以降の他の番組にもRSS記事が関連情報として選択されている。
【０１９０】
図２８は表示の切り替えの例を示す図である。
【０１９１】
図２８上段の表示においては、領域Ａには番組V1、領域a1には、番組V1の関連情報の１つであるRSS記事R(V1-1)のタイトルR.t(V1-1)、領域a2にはRSS記事R(V1-1)の本文R.d(V1-1)がそれぞれ表示されている。
【０１９２】
また、図２８上段の表示においては、領域Ｂには番組V2、領域ｂには、番組V2の関連情報の１つであるRSS記事R(V2-1)のタイトルR.t(V2-1)がそれぞれ表示され、領域Ｃには番組V3、領域ｃには、番組V3の関連情報の１つであるRSS記事R(V3-1)のタイトルR.t(V3-1)が表示されている。同様に、領域Ｄには番組V4、領域ｄには、番組V4の関連情報の１つであるRSS記事R(V4-1)のタイトルR.t(V4-1)が表示されている。
【０１９３】
このような表示が、所定時間経過後、または、所定の操作がユーザにより行われたとき等の所定のタイミングで図２８下段の表示に切り替えられる。
【０１９４】
図２８下段の表示においては、領域a1には、番組V1の関連情報の１つであるRSS記事R(V1-2)のタイトルR.t(V1-2)、領域a2にはRSS記事R(V1-2)の本文R.d(V1-2)がそれぞれ表示されている。
【０１９５】
また、領域ｂには、番組V2の関連情報の１つであるRSS記事R(V2-2)のタイトルR.t(V2-2)が、領域ｃには、番組V3の関連情報の１つであるRSS記事R(V3-2)のタイトルR.t(V3-2)が、領域ｄには、番組V4の関連情報の１つであるRSS記事R(V4-2)のタイトルR.t(V4-2)が、それぞれ表示されている。
【０１９６】
すなわち、この例は、それぞれの領域に表示される番組はそのままに、所定時間経過後に、ユーザに紹介されるRSS記事が切り替えられる場合の例を示している。これにより、ユーザは、切り替えられるRSS記事のタイトルや、RSS記事本文表示部１１Ｂに表示されるRSS記事の本文を見ながら番組を選択することが可能となる。
【０１９７】
図２９は表示の切り替えの他の例を示す図である。
【０１９８】
図２９左上の表示は図２８上段の表示と同じである。このような表示が、所定時間経過後、または、所定の操作がユーザにより行われたとき等の所定のタイミングで図２９左下の表示に切り替えられる。
【０１９９】
図２９左下の表示においては、領域a1には、番組V1の関連情報の１つであるRSS記事R(V1-2)のタイトルR.t(V1-2)、領域a2にはRSS記事R(V1-2)の本文R.d(V1-2)がそれぞれ表示されている。
【０２００】
また、図２９左下の表示においては、領域Ｂには番組V3、領域ｂには、番組V3の関連情報の１つであるRSS記事R(V3-2)のタイトルR.t(V3-2)がそれぞれ表示され、領域Ｃには番組V4、領域ｃには、番組V4の関連情報の１つであるRSS記事R(V4-2)のタイトルR.t(V4-2)が表示されている。同様に、領域Ｄには番組V5、領域ｄには、番組V5の関連情報の１つであるRSS記事R(V5-1)のタイトルR.t(V5-1)が表示されている。
【０２０１】
さらに、このような表示が、所定時間経過後、または、所定の操作がユーザにより行われたとき等の所定のタイミングで図２９右下の表示に切り替えられる。
【０２０２】
図２９右下の表示においては、領域a1には、番組V1の関連情報の１つであるRSS記事R(V1-3)のタイトルR.t(V1-3)、領域a2にはRSS記事R(V1-3)の本文R.d(V1-3)がそれぞれ表示されている。
【０２０３】
また、図２９右下の表示においては、領域Ｂには番組V4、領域ｂには、番組V4の関連情報の１つであるRSS記事R(V4-3)のタイトルR.t(V4-3)がそれぞれ表示され、領域Ｃには番組V5、領域ｃには、番組V5の関連情報の１つであるRSS記事R(V5-2)のタイトルR.t(V5-2)が表示されている。同様に、領域Ｄには番組V6、領域ｄには、番組V6の関連情報の１つであるRSS記事R(V6-1)のタイトルR.t(V6-1)が表示されている。
【０２０４】
すなわち、図２９の例は、領域Ａに表示される番組はそのままに、領域Ｂ乃至Ｄに表示されていた番組が、左方向に順次移動していくように表示が切り替えられる場合の例を示している。
【０２０５】
具体的には、表示が切り替えられたとき、領域Ｂ乃至Ｄのうち、それまで左端の領域Ｂに表示されていた番組は消え、そこに、領域Ｃに表示されていた番組が表示される。また、領域Ｃには、領域Ｄに表示されていた番組が表示され、右端の領域Ｄには、あらたに、それまで表示されていなかった番組が表示される。
【０２０６】
さらに、番組の表示の切り替えとともに、番組に関連するRSS記事のタイトル、本文の表示も、その表示位置が番組の表示位置の移動に併せて移動し、その内容（RSS記事の種類）も図２８の場合と同様に順次切り替えられる。
【０２０７】
図３０は表示の切り替えのさらに他の例を示す図である。
【０２０８】
図３０左上の表示は図２８上段の表示と同じである。このような状態で、例えば、領域Ｄに表示されている番組V4（番組V4と、領域ｄに表示されているRSS記事R(V4-1)のタイトルR.t(V4-1)）が選択され、その削除が指示されたとき、例えば、TV２の表示は、図３０左下の表示に切り替えられる。
【０２０９】
図３０左下の表示においては、領域a1には、番組V1の関連情報の１つであるRSS記事R(V1-2)のタイトルR.t(V1-2)、領域a2にはRSS記事R(V1-1)の本文R.d(V1-2)がそれぞれ表示されている。領域ｂには、番組V2の関連情報の１つであるRSS記事R(V2-2)のタイトルR.t(V2-2)が、領域ｃには、番組V3の関連情報の１つであるRSS記事R(V3-2)のタイトルR.t(V3-2)がそれぞれ表示されている。
【０２１０】
さらに、図３０左下の表示においては、領域Ｄには番組V5、領域ｄには、番組V5の関連情報の１つであるRSS記事R(V5-1)のタイトルR.t(V5-1)が表示されている。
【０２１１】
また、ユーザの操作によっては、図３０左上の表示は、図３０右下の表示にも切り替えられる。
【０２１２】
図３０右下の表示においては、領域Ｄには番組V1new、領域ｄには、番組V1newの関連情報の１つであるRSS記事R(V1new-1)のタイトルR.t(V1new-1)が表示されている点が、図３０左下の表示と異なり、他の表示は同じである。ここで、番組V1newは、例えば、領域Ａに表示されている番組V1と同じ時間帯に放送されていたいわゆる裏番組である。
【０２１３】
すなわち、図３０の例は、ユーザがある番組（番組とRSS記事のタイトル）を選択して削除したとき、それに替えて他の番組と、その、他の番組に関連するRSS記事のタイトルが表示される場合の例を示している。このように、ユーザは、番組・RSS記事紹介画面に表示されている番組の削除などの各種の操作を行うことができる。
【０２１４】
以上においては、ユーザに紹介する番組は、番組情報とRSS記事に基づいて設定された順位に応じて、異なる位置、または異なる大きさの領域に表示されるものとしたが、順位の違いが、例えば、番組の枠の色などの、表示の仕方に現れるようにしてもよい。この場合、例えば、順位が高い番組の枠が、順位の低い番組の枠より目立つように表示される。
【０２１５】
また、番組・RSS記事紹介画面に表示されるRSS記事のタイトル、本文に含まれるキーワードが他の単語より目立つように表示されるようにしてもよい。RSS記事のタイトル、本文の表示については、さらに、タイトルや本文の全体を、割り当てられた領域に一度に表示することができない場合、要約して表示されるようにしてもよいし、画面の一方から他方に流れるように表示されるようにしてもよい。RSS記事のタイトルなどの流れるような表示は、繰り返し行われるようにしてもよいし、ユーザが所定のタイミングで止めることができるようにしてもよい。流れるようにしてタイトルが一度表示された後、それに続けて、例えば番組情報から取得された、チャンネルや放送時刻などの、番組に関する他の情報が表示されるようにしてもよい。
【０２１６】
また、ユーザが本文やWebページをチェックしていないRSS記事については、そのタイトルが、既にチェックしたものと異なる色により表示されるようにしてもよい。重要なRSS記事については、そのタイトルが目立つように表示されてもよいし、タイトルや本文がポップアップ表示されるようにしてもよい。
【０２１７】
また、いま表示されているものより上位のRSS記事へ、または下位のRSS記事へ、表示するRSS記事をユーザが順次切り替えることができるようにしてもよいし、不要なRSS記事を削除したりすることができるようにしてもよい。
【０２１８】
さらに、RSS記事のタイトルや本文が表示される領域には、RSS記事以外の情報、例えば、広告や所定のサイト（例えば、RSS記事の配信を行っているサイト）のURLなどが表示されるようにしてもよい。番組の録画予約の設定時にRSS記事の取得が行われ、そのRSS記事が、録画された番組の関連情報として選択されるようにしてもよい。
【０２１９】
また、このような番組に関連する情報は、番組の近傍に表示されるのではなく、TV２とは別に用意される携帯端末などのディスプレイに表示されるようにしてもよい。すなわち、番組に関連する情報が選択されたとき、情報処理装置１からその別筐体の装置に対して、無線で、または有線でRSS記事のタイトルや本文などの情報が送信されることになる。
【０２２０】
以上においては、番組・RSS記事紹介画面において紹介される番組は、放送中の番組、または録画済みの番組であるとしたが、録画済みの番組、放送中の番組の中に、紹介する番組がないような場合などには、放送予定の番組が紹介されるようにしてもよい。この場合、番組・RSS記事紹介画面のうちのその放送予定の番組に対して割り当てられた領域には、番組情報から取得された放送予定の番組の画像や、番組のタイトル、出演者などの情報が表示される。さらに、放送される番組におけるEPGと同様の情報が用意されている場合、インターネットを介して取得されたストリーミングコンテンツが紹介されるようにしてもよい。
【０２２１】
また、以上においては、作成された１つの番組ランキングの順位に基づいて複数の番組が選択され、番組・RSS記事紹介画面のそれぞれの領域に表示されるものとしたが、このような番組ランキングがカテゴリ毎に作成され、それぞれのカテゴリの番組ランキングの順位に基づいてカテゴリ毎に番組が選択され、番組・RSS記事紹介画面に表示されるようにしてもよい。例えば、図１１を参照して説明したように、「父」が、「サッカー」と「スポーツ全般」と「競馬」のRSS記事の配信を受けている場合、カテゴリ（「サッカー」、「スポーツ全般」、「競馬」）毎に、RSS記事キーワードの抽出が行われ、抽出されたRSS記事キーワードが用いられて番組ランキングが作成される。番組・RSS記事紹介画面には、それぞれのカテゴリの番組ランキングで１位にあがっている番組が表示される。これにより、ユーザは、カテゴリ毎に、話題になっている番組を確認することができる。
【０２２２】
また、番組選択の元になるキーワードや番組ランキングを、ユーザが自ら修正することができるようにしてもよい。さらに、番組の選択に際しては、ユーザのそれまでの、番組やRSS記事の視聴履歴、操作履歴などが参照されるようにしてもよい。
【０２２３】
また、番組選択の元になるRSS記事を、プロファイル選択時に、配信サイトより取得するようにしてもよい。
【０２２４】
また、電源オンの後、プロファイル選択画面を表示することなく、RSSを取得し、番組選択処理を行い、選択番組を表示してもよい。その際には、複数のユーザ（例えば、家族全員）がそれぞれ配信を受けているRSS記事全体に基づいて番組が選択されてもよいし、各ユーザにつけられた優先順位が一位のユーザが配信を受けているRSS記事全体に基づいて番組が選択されてもよい。
【０２２５】
さらに、以上においては、番組・RSS記事紹介画面にはそれぞれ異なる番組が表示されるものとしたが、同じ番組の異なるシーンが、クローズドキャプションなどに基づいて選択され、それぞれのシーンが表示されるようにしてもよい。これにより、ユーザは、視聴したいシーンを選択することができる。また、表示候補の番組の番組情報だけでなく、クローズドキャプションなどにも基づいて、関連情報としてRSS記事が選択されるようにしてもよい。
【０２２６】
上述した一連の処理は、ハードウェアにより実行させることもできるし、ソフトウエアにより実行させることもできる。一連の処理をソフトウエアにより実行させる場合には、そのソフトウエアを構成するプログラムが、専用のハードウェアに組み込まれているコンピュータ、または、各種のプログラムをインストールすることで、各種の機能を実行することが可能な、例えば汎用のパーソナルコンピュータなどに、プログラム記録媒体からインストールされる。
【０２２７】
図３１は、上述した一連の処理をプログラムにより実行するパーソナルコンピュータの構成の例を示すブロック図である。CPU２０１は、ROM２０２、または記憶部２０８に記憶されているプログラムに従って各種の処理を実行する。RAM２０３には、CPU２０１が実行するプログラムやデータなどが適宜記憶される。これらのCPU２０１、ROM２０２、およびRAM２０３は、バス２０４により相互に接続されている。
【０２２８】
CPU２０１にはまた、バス２０４を介して入出力インターフェース２０５が接続されている。入出力インターフェース２０５には、キーボード、マウス、マイクロホンなどよりなる入力部２０６、ディスプレイ、スピーカなどよりなる出力部２０７が接続されている。CPU２０１は、入力部２０６から入力される指令に対応して各種の処理を実行する。そして、CPU２０１は、処理の結果を出力部２０７に出力する。
【０２２９】
入出力インターフェース２０５に接続されている記憶部２０８は、例えばハードディスクからなり、CPU２０１が実行するプログラムや各種のデータを記憶する。通信部２０９は、インターネットやローカルエリアネットワークなどのネットワークを介して外部の装置と通信する。
【０２３０】
また、通信部２０９を介してプログラムを取得し、記憶部２０８に記憶してもよい。
【０２３１】
入出力インターフェース２０５に接続されているドライブ２１０は、磁気ディスク、光ディスク、光磁気ディスク、或いは半導体メモリなどのリムーバブルメディア２１１が装着されたとき、それらを駆動し、そこに記録されているプログラムやデータなどを取得する。取得されたプログラムやデータは、必要に応じて記憶部２０８に転送され、記憶される。
【０２３２】
コンピュータにインストールされ、コンピュータによって実行可能な状態とされるプログラムを格納するプログラム記録媒体は、図３１に示すように、磁気ディスク（フレキシブルディスクを含む）、光ディスク（CD-ROM(Compact Disc-Read Only Memory)，DVD(Digital Versatile Disc)を含む）、光磁気ディスク、もしくは半導体メモリなどよりなるパッケージメディアであるリムーバブルメディア２１１、または、プログラムが一時的もしくは永続的に格納されるROM２０２や、記憶部２０８を構成するハードディスクなどにより構成される。プログラム記録媒体へのプログラムの格納は、必要に応じてルータ、モデムなどのインターフェースである通信部２０９を介して、ローカルエリアネットワーク、インターネット、デジタル衛星放送といった、有線または無線の通信媒体を利用して行われる。
【０２３３】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【図面の簡単な説明】
【０２３４】
【図１】本発明の一実施形態に係る情報処理装置と、それに接続されるテレビジョン受像機の例を示す図である。
【図２】番組・RSS記事紹介画面の例を示す図である。
【図３】メニュー画面の例を示す図である。
【図４】メニュー画面の他の例を示す図である。
【図５】メニュー画面から番組・RSS記事紹介画面への表示の切り替えの例を示す図である。
【図６】メニュー画面から番組・RSS記事紹介画面への表示の切り替えの他の例を示す図である。
【図７】メニュー画面から番組・RSS記事紹介画面への表示の切り替えのさらに他の例を示す図である。
【図８】情報処理装置のハードウェア構成例を示すブロック図である。
【図９】情報処理装置の機能構成例を示すブロック図である。
【図１０】図９の番組選択部の詳細な構成例を示すブロック図である。
【図１１】処理の流れを示す図である。
【図１２】番組情報の例を示す図である。
【図１３】番組ランキングの例を示す図である。
【図１４】番組情報の他の例を示す図である。
【図１５】番組ランキングの他の例を示す図である。
【図１６】図９のRSS記事選択部の詳細な構成例を示すブロック図である。
【図１７】処理の流れを示す図である。
【図１８】情報処理装置の番組選択・表示処理について説明するフローチャートである。
【図１９】図１８のステップＳ４において行われるプロファイル選択処理について説明するフローチャートである。
【図２０】図１８のステップＳ５において行われるRSS記事取得処理について説明するフローチャートである。
【図２１】図１８のステップＳ６において行われる番組選択処理について説明するフローチャートである。
【図２２】図１８のステップＳ７において行われる選択番組表示処理について説明するフローチャートである。
【図２３】情報処理装置の番組関連情報選択・表示処理について説明するフローチャートである。
【図２４】図２３のステップＳ５５において行われる番組関連情報選択処理について説明するフローチャートである。
【図２５】図２３のステップＳ５６において行われる番組関連情報表示処理について説明するフローチャートである。
【図２６】表示領域を示す図である。
【図２７】表示候補の番組と、その関連情報であるRSS記事を示す図である。
【図２８】表示の切り替えの例を示す図である。
【図２９】表示の切り替えの他の例を示す図である。
【図３０】表示の切り替えのさらに他の例を示す図である。
【図３１】パーソナルコンピュータの構成例を示すブロック図である。
【符号の説明】
【０２３５】
１  情報処理装置，  ２  TV，  １５１  RSS記事取得部，  １５２  RSS記事データベース，  １５３  番組情報取得部，  １５４  番組情報データベース，  １５５  番組選択部，  １５６  RSS記事選択部，  １５７  表示制御部，  １７１  番組キーワード抽出部，  １７２  RSS記事キーワード抽出部，  １７３  RSS記事キーワードランキング作成部，  １７４  番組ランキング作成部，  １７５  選択部，  １８１  番組キーワード抽出部，  １８２  RSS記事キーワード抽出部，  １８３  選択部
【図１】
0004779481.tif 000002
【図２】
0004779481.tif 000003
【図３】
0004779481.tif 000004
【図４】
0004779481.tif 000005
【図５】
0004779481.tif 000006
【図６】
0004779481.tif 000007
【図７】
0004779481.tif 000008
【図８】
0004779481.tif 000009
【図９】
0004779481.tif 000010
【図１０】
0004779481.tif 000011
【図１１】
0004779481.tif 000012
【図１２】
0004779481.tif 000013
【図１３】
0004779481.tif 000014
【図１４】
0004779481.tif 000015
【図１５】
0004779481.tif 000016
【図１６】
0004779481.tif 000017
【図１７】
0004779481.tif 000018
【図１８】
0004779481.tif 000019
【図１９】
0004779481.tif 000020
【図２０】
0004779481.tif 000021
【図２１】
0004779481.tif 000022
【図２２】
0004779481.tif 000023
【図２３】
0004779481.tif 000024
【図２４】
0004779481.tif 000025
【図２５】
0004779481.tif 000026
【図２６】
0004779481.tif 000027
【図２７】
0004779481.tif 000028
【図２８】
0004779481.tif 000029
【図２９】
0004779481.tif 000030
【図３０】
0004779481.tif 000031
【図３１】
0004779481.tif 000032